(57)【要約】【課題】本発明は、化粧を実施しようとするとき、ブラシが形成されている蓋を回転させることにより、化粧液の流出口を開放し、化粧液をブラシに流出させて適当量の化粧液が均一に塗布されるようにし、使用後、蓋を反対方向に回転させることにより前記流出口を閉鎖し、化粧液の流出を遮断する化粧品容器を提供する。【解決手段】本発明による化粧品容器は、一側に開口部が形成され、前記開口部を通して収容部に化粧液を充填する容器と、前記容器の開口部と螺合され、化粧液の流路を提供するために下端一部分に開放ホールが形成されているパッキング体が中央の穴に嵌挿される下部キャップと、前記下部キャップの上部に回転自在に結合され、前記パッキング体の空間部に挿入されて化粧液の流路を提供するために前記パッキング体の開放ホールに通るように対応する位置に開放部が切断形成された軸管が中央に形成され、前記軸管の上部にブラシが形成された中部キャップと、前記中部キャップの上部に結合されて前記ブラシを保護する外部キャップとを含むことを特徴とする。【選択図】図１
2008507388.tif 000002
【特許請求の範囲】
【請求項１】
一側に開口部が形成され、前記開口部を通して収容部に化粧液を充填する容器と、
前記容器の開口部と螺合され、化粧液の流路を提供するために下端一部分に開放ホールが形成されているパッキング体が中央の穴に嵌挿される下部キャップと、
前記下部キャップの上部に回転自在に結合され、前記パッキング体の空間部に挿入されて化粧液の流路を提供するために前記パッキング体の開放ホールに通るように対応する位置に開放部が切断形成された軸管が中央に形成され、前記軸管の上部にブラシが形成された中部キャップと、
前記中部キャップの上部に結合されて前記ブラシを保護する外部キャップと、を含むことを特徴とする化粧品容器。
【請求項２】
前記中部キャップの軸管に形成されているブラシを集めるために、前記ブラシの上側に嵌合して中部キャップの上部に結合されるブラシカバーをさらに含むことを特徴とする請求項１に記載の化粧品容器。
【請求項３】
前記下部キャップに対して前記中部キャップが所定の角度範囲で回転されるようにするため、前記中部キャップの下部面には、前記下部キャップの凹部に一部挿入されて回転されるストッパーが形成され、前記下部キャップの上部には、前記ストッパーの回転範囲を制限する２つの回転制限壁が形成されることを特徴とする請求項１に記載の化粧品容器。
【請求項４】
前記中部キャップの上部に形成されている回転制限壁による角度範囲は１８０゜以下であることを特徴とする請求項３に記載の化粧品容器。
【請求項５】
前記中部キャップの回転時に前記下部キャップに結合されている前記パッキング体が回転されないようにするために、前記下部キャップの中央穴にはキー溝が形成され、前記パッキング体の外周面には縦方向にキーが形成されることを特徴とする請求項１に記載の化粧品容器。
【請求項６】
前記容器の開口部と螺合された前記下部キャップの結合状態が解除されないようにするために、前記容器の開口部の下部外周面と前記下部キャップの下部内周面にラッチギアがそれぞれ形成されることを特徴とする請求項１に記載の化粧品容器。
【発明の詳細な説明】
【技術分野】
【０００１】
本発明は、容器に収容された液状の化粧品を流出させて使用するための化粧品容器に関し、特に、化粧を実施しようとするとき、ブラシが形成されている蓋を回転させることにより化粧液の流出口を開放し、化粧液をブラシに流出させて適当量の化粧液が均一に塗布されるようにし、使用後、蓋を反対方向に回転させて前記流出口を閉鎖し、化粧液の流出を遮断する化粧品容器に関する。
【背景技術】
【０００２】
一般に、液体ファンデーション、リップグロスなどのように流動性を有する液体状態の化粧品が収容される化粧品容器は、容器の開口部にブラシ部が一体に形成されており、化粧を実施するためには前記容器を逆にしてブラシ部が下方に向かうようにしたり、または前記容器を収縮させて化粧液がブラシ部に供給されることにより、化粧を実施した。
【０００３】
上述した一般の化粧品容器は、ブラシ部に流出される化粧液を適切に制御したり、使用しないときはこれの供給を遮断させる開閉手段が備えられていなかった。よって、前記化粧品容器を保管する際、化粧液がブラシを通して流出されないように注意して保管する必要があるという不都合があった。
【０００４】
また、上述した一般の化粧品容器は、ブラシ部の中心に形成される流出管の内径によって化粧液の流出量が決められるため、ユーザが化粧液の流出量を調節することができない問題点があった。
【０００５】
上記の一般の化粧品容器の問題点を解決するために本願出願人によって既出願された化粧品容器は、下記特許文献１（実用新案出願第２００４-００２４８９２号）（以下「従来技術」と称する）に掲載されている。
【０００６】
前記化粧品容器は、基本的に塗布部材と容器部から構成されており、前記容器部に形成される入口部の内部に固着されて化粧液の流出路を提供するパッキング体と、前記パッキング体の化粧液流出路を開閉する回転体と、前記パッキング体の上部を覆って前記入口部の外部と固着され前記回転体と凹凸結合されて、前記回転体の回転作動を制御する位置制御部材と、前記回転体の上部に固着され前記塗布部材が埋設される収納溝が形成される固定部材からなり、前記パッキング体には挿入溝が形成され、前記挿入溝の側面には開口部が穿孔されており、前記回転体には前記挿入溝に挿入される軸棒が形成されており、前記軸棒には前記挿入溝の開口部より小さい流出口が形成されている。
【０００７】
前記化粧品容器の構成を結合する方法は、化粧液が貯蔵された容器部の入口部の内部にはパッキング体を結合し、その外部には位置制御部材を固着し、前記位置制御部材の上部には固定部材と一体となった回転体を回転自在に結合することにより、化粧品容器の組立を実施する。
【０００８】
ここで、前記回転体の回転板下部に突出された軸棒は、前記位置制御部材の中央ホールを通して前記パッキング体の挿入溝に挿入され、前記回転板の上部に突出された軸棒は固定部材の支持ロッドを介して前記塗布部材の下部に位置されており、前記回転板の底面に形成されているストッパーは前記位置制御部材のガイド溝に挿入され、前記回転体を回転させれば、前記挿入溝に挿入されている軸奉と共に回転して前記挿入溝の開口部を開閉するため、化粧する時のみ、前記化粧液を引出するようになっている。
【０００９】
よって、上述した従来技術は、ブラシ部に流出される化粧液を適切に制御したり、使用しないときはこれの供給を遮断させる開閉手段を具備しているから、一般の化粧品容器の問題点を解決することができるという利点がある。
【００１０】
【特許文献１】韓国実用新案出願第２００４-００２４８９２号公報
【発明の開示】
【発明が解決しようとする課題】
【００１１】
ところで、上記の構成を有する従来の化粧品容器は、部品点数が多く構造が複雑してあり、また、容器部に化粧液を充填した後、前記容器部にパッキング体を挿入し、前記容器部の上部に回転体、位置制御部材及び固定部材が一体に結合された蓋部を結合する工程で化粧品が製造されることにより、製造工程が複雑であるといった問題があった。
【００１２】
本発明は、上述の問題点に解決するために案出されたもので、その目的は、ユーザがブラシ付き化粧品を使用するとき、ブラシに流出される液状の化粧品の流出量を調節して使用することができるようにするため、容器に結合される蓋部の中部キャップを回転させることにより開放ホールの開閉が行われるようにする開閉手段が備えられた化粧品容器を提供することにある。
【００１３】
さらに、化粧品容器をブラシ及び開閉手段が一体に形成された蓋部と容器に分離及び結合されるようにして、化粧品の製造工程時に容器に化粧液を充填した後、前記蓋部を結合する工程のみで、化粧品を簡便にかつ迅速に製造することができる化粧品容器を提供することにある。
【課題を解決するための手段】
【００１４】
上記目的を達成すべく、本発明による化粧品容器は、一側に開口部が形成され、前記開口部を通して収容部に化粧液を充填する容器と、前記容器の開口部と螺合され、化粧液の流路を提供するために下端一部分に開放ホールが形成されているパッキング体が中央の穴に嵌挿される下部キャップと、前記下部キャップの上部に回転自在に結合され、前記パッキング体の空間部に挿入されて化粧液の流路を提供するために前記パッキング体の開放ホールに通るように対応する位置に開放部が切断形成された軸管が中央に形成され、前記軸管の上部にブラシが形成された中部キャップと、前記中部キャップの上部に結合されて前記ブラシを保護する外部キャップと、を含むことを特徴とする。
【００１５】
ここで、前記化粧品容器は、前記中部キャップの軸管に形成されているブラシを集めるために、前記ブラシの上側に嵌合して中部キャップの上部に結合されるブラシカバーをさらに含むことを特徴とする。
【００１６】
また、前記下部キャップに対して前記中部キャップが所定の角度範囲で回転されるようにするため、前記中部キャップの下部面には、前記下部キャップの凹部に一部挿入されて回転されるストッパーが形成され、前記下部キャップの上部には、前記ストッパーの回転範囲を制限する２つの回転制限壁が形成されることを特徴とする。
また、前記下部キャップの上部に形成されている回転制限壁による角度範囲は１８０゜以下であることを特徴とする。
【００１７】
また、前記中部キャップの回転時に前記下部キャップに結合されている前記パッキング体が回転されないようにするために、前記下部キャップの中央穴にはキー溝が形成され、前記パッキング体の外周面には縦方向にキーが形成されることを特徴とする。
【００１８】
また、前記容器の開口部と螺合された前記下部キャップの結合状態が解除されないようにするために、前記容器の開口部の下部外周面と前記下部キャップの下部内周面にラッチギアがそれぞれ形成されることを特徴とする。
【発明の効果】
【００１９】
本発明によれば、化粧品容器は、ユーザがブラシ付き化粧品を使用するとき、ブラシに流出される液状の化粧品の流出量を調節して使用することができるようにするために、容器に結合される蓋部の中部キャップを回転させることにより開放ホールの開閉が行われるようにする開閉手段が備えられた化粧品容器を提供し、ブラシ及び開閉手段が一体に形成された蓋部と容器のように２つの構成に区分されるようにして、化粧品の製造工程時に前記容器に化粧液を充填した後、前記蓋部を結合する工程のみで、化粧品を簡便にかつ迅速に製造することができる化粧品容器を提供する。
【００２０】
ここで、前記開閉手段は、容器の開口部に結合される下部キャップと、前記下部キャップの中央に形成された穴に挿入されて開放ホールを通して流路を提供するパッキング体と、前記パッキング体に軸管の下端部が挿入されると共に前記下部キャップの上部に回転自在に結合され前記軸管の下端部に形成されている開放部を通して流路を提供する中部キャップから構成されている。
【００２１】
よって、前記開閉手段の中部キャップを１８０゜範囲に回転させて前記パッキング体の開放ホールと前記中部キャップの開放部を一致させて化粧液の流出口を開放したり、前記パッキング体の開放ホールと前記中部キャップの開放部を反対方向に向かうように回転操作して化粧液の流出口を閉鎖する方法で簡便に開閉作動を施すことができ、前記中部キャップを１８０゜以内に回転させれば流路の断面積が調節され化粧液の流出流量を調節することが可能であった。
【００２２】
また、前記下部キャップに結合されている前記パッキング体がキーによって相互結合されており、前記中部キャップの回転時に前記パッキング体が回転されず固定されて正確に前記中部キャップの回転操作で開閉作動を実施することができた。
【発明を実施するための最良の形態】
【００２３】
以下、本発明の好ましい実施例を、添付図面に基づき詳細に説明する。
図１は本発明による化粧品容器の分解斜視図、図２Ａは図１における下部キャップの底面斜視図、図２Ｂは図１における中部キャップの底面斜視図である。
【００２４】
図１〜図２Ｂに示すように、前記化粧品容器は、容器１、下部キャップ２、パッキング体３、中部キャップ４、ブラシ５、ブラシカバー６及び外部キャップ７から構成される。
【００２５】
前記下部キャップ２の中央に形成された穴には、前記パッキング体３が挿入されて一体に結合され、前記中部キャップ４の中央に上側に突設される軸管４０には、前記ブラシ５が挿入されて一体に結合され、前記ブラシ５が結合された後、前記中部キャップ４の上側にブラシカバー６が結合される。
【００２６】
また、前記パッキング体３が結合された下部キャップ２の上部には、前記ブラシカバー６とブラシ５が結合された中部キャップ４が回転自在に結合され、化粧液の流出量を調節する開閉手段をなす。
【００２７】
よって、図１に示す構成は、容器１、外部キャップ７及び複数の構成が相互結合されることにより組立体をなしている開閉手段のように、単純な構成に区分される。
【００２８】
以下、本発明による化粧品容器の各構成要素をさらに詳細に説明する。
前記容器１は、液状の化粧品を収容する手段であり、前記容器１の内部には化粧液が充填または収容される収容部１０が形成されており、前記容器１の上部には開口部１１が形成されている。
【００２９】
また、前記開口部１１の外周面には、前記下部キャップ２と螺合される雄ネジ部１２が形成されており、前記開口部１１の下部外周面には、ラッチギア１３が円周方向に突設されている。
【００３０】
ここで、前記ラッチギア１３は、前記下部キャップ２が螺合された時、前記下部キャップ２が反対方向に回転されることにより結合状態が解除されないようにする解除防止手段であり、前記開口部１１のラッチギア１３と対応するように前記下部キャップ２の下部内周面にもラッチギア２６が形成されている。
【００３１】
前記容器１は、合成樹脂で成形し、前記容器１を収縮させることにより化粧液が容易に流出されるようにするため、柔軟性の合成樹脂で成形することが好ましい。また、前記容器１は、収容部１０に充填または収容されている化粧液の状態を外部から視認できるように透明に形成することも可能である。
【００３２】
前記下部キャップ２は、前記容器１の開口部１１と螺合されることにより容器１を密閉させ、開閉手段の主要構成であるパッキング体３と中部キャップ４が固着する基部の役割を果たす。前記下部キャップ２の中央には、前記パッキング体３が嵌挿される穴が形成されており、前記穴には前記パッキング体３の外周面に縦方向に形成されたキー３２が挿入されるキー溝２７が形成されている。
【００３３】
前記下部キャップ２の上部には、前記中部キャップ４の下部が結合されるようにリーム部２０が形成されており、前記リーム部２０の外周面には、前記中部キャップ４の結合突起（図２Ｂの４５）が係止される結合溝２１が形成されている。
【００３４】
前記下部キャップ２の上部には中部キャップ４が回転自在に結合された時、前記中部キャップ４の下部面に形成されているストッパー（図２Ｂの４６）が一部挿入されて回転されるように、前記リーム部２０の内側に凹部２３が形成されており、前記中部キャップ４の回転範囲を制限するために、前記ストッパー４６が所定の角度で回転されてから回転が阻止されるように、前記リーム部２０の内周面には直径方向に対応する２つの回転制限壁２２が突設されている。
【００３５】
ここで、前記凹部２３の深さは、前記下部キャップ２の上部に前記中部キャップ４が結合された時、前記ストッパー４６の下端部が前記凹部２３の底面に接触されない程度の深さに形成することが好ましい。また、前記下部キャップ２のリーム部２０の内周面に形成されている前記２つの回転制限壁２２による回転角度範囲は１８０゜以下に形成し、前記中部キャップ４が前記下部キャップ２に対して０〜１８０゜の角度範囲に回転されることにより開閉手段を操作することが好ましい。
【００３６】
前記下部キャップ２の下部内周面には、図２Ａに示すように、前記容器１の雄ネジ部１２と螺合されるように雌ネジ部２５が形成されており、前記下部キャップ２の内周面上端には、前記容器１のラッチギア１３と対応するようにラッチギア２６が形成されており、前記下部キャップ２の内側下部面には、前記下部キャップ２が容器１と螺合された時、前記容器１の開口部１１の内周面と密着するように、ガイドリーム部２４が下方に突設されている。
【００３７】
前記パッキング体３は、前記下部キャップ２の中央に形成されている穴に嵌挿されることにより、前記容器１に収容されている化粧液の流路を提供する手段であり、中央に中部キャップ４の軸管４０が挿入される穴が形成されており、外周面には縦方向にキー３２が形成されており、下端一部分に開放ホール３１が形成されている。また、前記パッキング体３の上端部外周面には、前記下部キャップ２の中央に形成されている穴に前記パッキング体３が挿入された時、凹部２３上に安着されるように固着突起３３が形成されている。
【００３８】
ここで、前記パッキング体３の開放ホール３１は、前記中部キャップ４が１８０゜回転された時、流路が最大に確保できるように１８０゜範囲に形成されることが好ましい。
前記中部キャップ４は、前記パッキング体３が結合された前記下部キャップ２の上部に回転自在に結合され、前記中部キャップ４を回転させることにより前記中部キャップ４の軸管４０の下端部に形成されている開放部４２と前記パッキング体３の開放ホール３１を一致または外れるようにして、化粧液の流路を開閉したり、流路の大きさを調節する手段である。
【００３９】
よって、前記中部キャップ４の中央には、前記中部キャップ４の上部及び下部を貫通する軸管４０が垂直に形成されており、前記軸管４０の中央には、化粧液が流出される流出口４１が形成されている。また、前記軸管４０の上部は、ブラシ５が容易に挿入できるよう、上端部側に行くほど外径が減少するようにテーパ加工されており、前記軸管４０の下部は前記パッキング体３の空間部３０に密着挿入されるように、前記空間部３０の内径と前記軸管４０の下部外径が同一に形成されている。前記軸管４０の下端部外周面には、図２Ｂに示すように、前記パッキング体３の空間部３０に挿入され前記パッキング体３の開放ホール３１に通るように対応する位置に、開放部４２が切断形成されており、前記開放部４２の切断範囲は前記パッキング体３の開放ホール３１の範囲と同一に１８０゜範囲に形成されることが好ましい。
【００４０】
前記中部キャップ４の外周面には、手で把持して容易に回転させるための摩擦面が形成されており、前記中部キャップ４の軸管４０周囲の上部面には、環状のリーム部４３が突設されており、前記リーム部４３の外周面には、前記ブラシカバー６の内側面に形成されている結合突起（図３Ａの６２）が係止されるように、結合溝４４が形成されている。よって、前記中部キャップ４の上部面は、前記リーム部４３を境界にして外側上部面と、前記ブラシ５のプランジ５１が安着する内側上部面に区分される。
【００４１】
前記中部キャップ４の中央に形成されている軸管４０の上部には、前記ブラシ５が嵌合されて一体に結合または取付される。
【００４２】
ここで、前記ブラシ５を前記軸管４０に取付ける方法は、前記中部キャップ４のリーム部４３の内周面に固定突起４７を形成し前記ブラシ５が前記軸管４０に嵌合された時、前記ブラシ５のプランジ５１の上端部が前記固定突起４７に係止されることにより、前記ブラシ５を固着する。前記固定突起４７によって固定された前記ブラシ５の固定力を向上させるために、前記ブラシ５の下端部または内側空間部５０に接着剤を塗布し、これを前記中部キャップ４の内側上部面に取付けることも可能である。
【００４３】
また、前記ブラシ５を前記軸管４０に結合する他の方法は、前記ブラシ５の下端部または内側空間部５０に接着剤を塗布して前記軸管４０及び中部キャップ４の内側上部面に取付けたり、または前記ブラシ５の下端部と前記中部キャップ４の内側上部面を熱融着させることにより相互取付ける。
【００４４】
また、前記中部キャップ４が前記下部キャップ２に結合されて前記中部キャップ４が所定の角度範囲、すなわち、１８０゜に回転されるようにするために、前記中部キャップ４の下部面には、図２Ｂに示すように、前記下部キャップ２の上部面に形成されている凹部２３に一部挿入されて回転されるストッパー４６が形成されている。また、前記ストッパー４６の形成方向は、前記中部キャップ４の開放部４２の前方と直角をなすように形成し、前記ストッパー４６が１８０゜回転された時、前記中部キャップ４の開放部４２が前方または後方に向かうようにし、前記パッキング体３の開放ホール３１と前記中部キャップ４の開放部４２による流路が開閉されるようにする。
【００４５】
前記ブラシ５は、前記中部キャップ４に形成されている軸管４０の流出口４１を通して流出される化粧液を吸収することにより化粧を実施する手段であり、多発毛、フロック（floc）などを適切な形態に成形して製作する。前記ブラシ５の上端部は、通常のブラシ５の形態のように尖設されており、下端部は、前記中部キャップ４の内側上部面に安着するようにプランジ５１が形成されており、下部面を通して軸管４０が挿入されるように内部に空間部５０が形成されている。
【００４６】
前記ブラシカバー６は、前記ブラシ５の上側に嵌設して前記中部キャップ４の上部に結合されて前記ブラシ５の上部を集める手段であり、前記ブラシカバー６の下部は、前記中部キャップ４のリーム部４３の外側に結合されるための内径をなしており、前記ブラシカバー６の上部は、前記ブラシ５の上部を集める穴６０が形成されており、上部へ行くほど小さな口径を有するように円錐状に形成されている。
【００４７】
前記ブラシカバー６の内周面下部には、前記中部キャップ４の結合溝４４に係止する結合突起（図３Ａの６２）が円周方向に突設されており、前記ブラシカバー６の外周面下部には前記外部キャップ７が固着されるように、外側突起６１が円周方向に突設されている。
前記外部キャップ７は、化粧を実施しない時、前記ブラシ５を保護するために前記ブラシカバー６に結合される蓋であり、下部が開放された円筒状に形成されている。
【００４８】
前記外部キャップ７の内周面下部には、前記ブラシカバー６と結合された時、前記ブラシカバー６の外側突起６１に係止されるように、係止突起（図３Ａの７０）が円周方向に突設されている。
【００４９】
図３Ａは、本発明による化粧品容器の中部キャップを回転させることにより流出口が開放された状態の結合断面図、図３Ｂは、図３ＡのＡ−Ａ線の断面図である。
図３Ａに示す化粧品容器は、下部キャップ２、パッキング体３、中部キャップ４、ブラシ５、ブラシカバー６及び外部キャップ７が結合された蓋部と容器１に区分され、最終的に前記容器１に化粧液を充填した後、前記蓋部を結合することにより、化粧品製造工程を終了する。
【００５０】
以下、図３Ａを参照して前記蓋部が組立てられる過程を説明し、図３Ａ及び図３Ｂを参照して流出口４１が開放されるように前記中部キャップ４を操作する方法を説明する。
【００５１】
まず前記下部キャップ２の中央に形成されている穴に前記パッキング体３を嵌挿し、このとき、前記パッキング体３のキー３２が前記下部キャップ２の穴に形成されているキー溝２７に嵌設することにより、前記中部キャップ４の回転時に前記パッキング体３が回転されないようにする。
【００５２】
前記下部キャップ２にパッキング体３が結合されれば、前記下部キャップ２の上部に前記中部キャップ４を結合し、このとき、前記中部キャップ４の下部面に形成されているストッパー４６が前記下部キャップ２の上部面に形成されている凹部２３に一部挿入されるようにし、前記中部キャップ４の軸管４０の下端部が前記パッキング体３の空間部３０に密着するように挿入する。
【００５３】
前記下部キャップ２と前記中部キャップ４が結合されれば、前記下部キャップ２のリーム部２０の外周面に形成されている結合溝２１に前記中部キャップ４の下部内周面に形成されている結合突起４５が係止されることにより相互結合が行われ、前記中部キャップ４を回転させる場合、前記結合溝２１に前記結合突起４５が係止された状態で前記結合溝２１に沿って回転されるため、結果的に前記結合溝２１が前記中部キャップ４の回転のためのガイド溝の役割を果たす。
【００５４】
前記下部キャップ２、パッキング体３及び中部キャップ４の結合が完了すれば、前記中部キャップ４の軸管４０に前記ブラシ５を嵌合し、この後、前記ブラシ５の下端部が、前記中部キャップ４の軸管４０とリーム部４３との間に形成される内側上部面に取付けられるようにする。
【００５５】
この後、前記ブラシ５の上側に前記ブラシカバー６を嵌設することにより、前記ブラシ５の上部が集められるようにし、前記ブラシカバー６と前記中部キャップ４が結合されれば、前記ブラシカバー６の内周面下部に形成されている結合突起６２が前記中部キャップ４のリーム部４３の外周面に形成されている結合溝４４に係止されることにより結合が行われる。
【００５６】
前記ブラシカバー６の結合が完了すれば、前記外部キャップ７を前記ブラシカバー６の上部に結合し、このとき、前記外部キャップ７の内周面下部に形成されている係止突起７０が前記ブラシカバー６の外側突起６１に係止されて結合が行われる。
【００５７】
上述した組立順によれば、前記パッキング体３が結合された下部キャップ２に中部キャップ４を結合し、前記中部キャップ４の軸管４０に前記ブラシ５を取付ける組立順が記載されているが、これに限られず、前記中部キャップ４の軸管４０に前記ブラシ５を取付けた後、前記中部キャップ４を前記パッキング体３が結合された下部キャップ２に結合する方法に組立順を変更して実施することも可能である。
【００５８】
上述した順に前記蓋部の組立が完了すれば、前記容器１の収容部１０に化粧液を充填し、この後、前記蓋部を前記容器１に結合することにより化粧品の製造を完了し、このとき、前記容器１の開口部１１と螺合される前記蓋部、すなわち、下部キャップ２が完全に結合されれば、前記下部キャップ２の内周面下部に形成されているラッチギア２６と前記容器１の開口部１１の下部に形成されているラッチギア１３が互いに係止して逆方向に回転されなくなる。
【００５９】
図３Ａのように本発明による化粧品容器の組立が完了すれば、ユーザは前記外部キャップ７を取り外した後、前記中部キャップ４を把持し、これを図３Ｂのように回転させることにより、前記中部キャップ４の軸管４０の下端部に形成されている開放部４２と前記パッキング体３の開放ホール３１が一致すれば、流路が確保され流出口４１が開放される。
【００６０】
よって、ユーザが前記容器１を収縮させたり、または容器１を上側に向かうように逆にすれば、前記流出口４１を通して化粧液が流出されることにより化粧を実施することができるようになる。
【００６１】
ここで、前記中部キャップ４の回転時に、前記中部キャップ４のストッパー４６は、前記下部キャップ２の凹部２３に一部挿入された状態で、時計方向に１８０゜だけ回転してから、前記下部キャップ２の回転制限壁２２に当接すると、回転が阻止される。このとき、前記中部キャップ４の開放部４２と前記パッキング体３の開放ホール３１が一致し流路が確保される。
【００６２】
図４Ａは、本発明による化粧品容器の中部キャップを回転させることにより流出口が閉鎖された状態の結合断面図であり、図４Ｂは、図４ＡにおけるＢ−Ｂ線の断面図である。
図４Ａ及び図４Ｂを参照して流出口４１が閉鎖されるように前記中部キャップ４を操作する方法を説明する。
【００６３】
図３Ａに示すように、前記中部キャップ４を操作して化粧品の使用を終了すると、ユーザは前記中部キャップ４を把持し、これを図４Ｂに示すように回転させることにより、前記中部キャップ４の軸管４０の下端部に形成されている開放部４２と前記パッキング体３の開放ホール３１が反対方向に向かうように操作すれば、流路が遮断され流出口４１が閉鎖し、この後、前記外部キャップ７を結合すれば、図４Ａに示すように化粧品を保管することができる状態になる。
【００６４】
ここで、前記中部キャップ４の回転時に、前記中部キャップ４のストッパー４６は、前記下部キャップ２の凹部２３に一部挿入された状態で反時計方向に１８０゜だけ回転されてから、前記下部キャップ２の回転制限壁２２に当接すれば、回転が阻止される。このとき、前記中部キャップ４の開放部４２と前記パッキング体３の開放ホール３１が反対方向に向かうようになり、流路が遮断される。
【００６５】
図５は、本発明による化粧品容器の容器と蓋部が分離された状態の斜視図であり、前記容器１の収容部１０に化粧液を充填するために分離された状態が示されている。
【００６６】
本発明による化粧品容器は、化粧液を容器１に充填し、これを蓋部で結合することにより化粧品の製造を完了することと同様に、簡便にかつ迅速に化粧品を製造することができるように創案したもので、図３Ａの説明部分に記述された方法で、下部キャップ２、パッキング体３、中部キャップ４、ブラシ５、ブラシカバー６及び外部キャップ７が結合されてなる蓋部が組立てられ、容器１が具備されれば前記容器１に化粧液を充填し、前記蓋部を前記容器１の開口部１１と螺合することにより組立を施し、このとき、前記蓋部を最後まで回転させると、前記下部キャップ２の下部内周面と前記容器１の開口部１１の下部外周面にそれぞれ形成されているラッチギア１３、２６が互いに噛合されることにより前記下部キャップ２が逆方向に回転されて解除されないようになり、前記蓋部と前記容器１の結合状態が堅く保持される。
【図面の簡単な説明】
【００６７】
【図１】本発明による化粧品容器の分解斜視図である。
【図２Ａ】図１における下部キャップの底面斜視図である。
【図２Ｂ】図１における中部キャップの底面斜視図である。
【図３Ａ】本発明による化粧品容器の中部キャップを回転させることにより流出口が開放された状態の結合断面図である。
【図３Ｂ】図３ＡのＡ−Ａ線の断面図である。
【図４Ａ】本発明による化粧品容器の中部キャップを回転させることにより流出口が閉鎖された状態の結合断面図である。
【図４Ｂ】図４ＡのＢ−Ｂ線の断面図である。
【図５】本発明による化粧品容器の容器と蓋部が分離されている状態の斜視図である。
【符号の説明】
【００６８】
１    容器
２    下部キャップ
３    パッキング体
４    中部キャップ
５    ブラシ
６    ブラシカバー
７    外部キャップ
１０    収容部
１１    開口部
１２    雄ネジ部
１３，２６    ラッチギア
２０，４３    リーム部
２１，４４     結合溝
２２    回転制限壁
２３    凹部
２４    ガイドリーム部
２５    雌ネジ部
２７    キー溝
３０，５０    空間部
３１    開放ホール
３２    キー
３３    固着突起
４０    軸管
４１    流出口
４２    開放ホール
４５，６２    結合突起
４６    ストッパー
４７    固定突起
５１    プランジ
６０    穴
６１    外側突起
７０    係止突起
【図１】
2008507388.tif 000003
【図２Ａ】
2008507388.tif 000004
【図２Ｂ】
2008507388.tif 000005
【図３Ａ】
2008507388.tif 000006
【図３Ｂ】
2008507388.tif 000007
【図４Ａ】
2008507388.tif 000008
【図４Ｂ】
2008507388.tif 000009
【図５】
2008507388.tif 000010
【手続補正書】
【提出日】平成18年11月20日(2006.11.20)
【手続補正１】
【補正対象書類名】特許請求の範囲
【補正対象項目名】全文
【補正方法】変更
【補正の内容】
【特許請求の範囲】
【請求項１】
一側に開口部が形成され、前記開口部を通して収容部に化粧液を充填する容器と、
前記容器の開口部と螺合され、化粧液の流路を提供するために下端一部分に開放ホールが形成されているパッキング体が中央の穴に嵌挿される下部キャップと、
前記下部キャップの上部に回転自在に結合され、前記パッキング体の空間部に挿入されて化粧液の流路を提供するために前記パッキング体の開放ホールに通るように対応する位置に開放部が切断形成された軸管が中央に形成され、前記軸管の上部にブラシが形成された中部キャップと、
前記中部キャップの上部に結合されて前記ブラシを保護する外部キャップと、を含むことを特徴とする化粧品容器。
【請求項２】
前記中部キャップの軸管に形成されているブラシを集めるために、前記ブラシの上側に嵌合して中部キャップの上部に結合されるブラシカバーをさらに含むことを特徴とする請求項１に記載の化粧品容器。
【請求項３】
前記下部キャップに対して前記中部キャップが所定の角度範囲で回転されるようにするため、前記中部キャップの下部面には、前記下部キャップの凹部に一部挿入されて回転されるストッパーが形成され、前記下部キャップの上部には、前記ストッパーの回転範囲を制限する２つの回転制限壁が形成されることを特徴とする請求項１に記載の化粧品容器。
【請求項４】
前記下部キャップの上部に形成されている回転制限壁による角度範囲は１８０゜以下であることを特徴とする請求項３に記載の化粧品容器。
【請求項５】
前記中部キャップの回転時に前記下部キャップに結合されている前記パッキング体が回転されないようにするために、前記下部キャップの中央穴にはキー溝が形成され、前記パッキング体の外周面には縦方向にキーが形成されることを特徴とする請求項１に記載の化粧品容器。
【請求項６】
前記容器の開口部と螺合された前記下部キャップの結合状態が解除されないようにするために、前記容器の開口部の下部外周面と前記下部キャップの下部内周面にラッチギアがそれぞれ形成されることを特徴とする請求項１に記載の化粧品容器。
【請求項７】
一側に開口部が形成され、前記開口部を通して収容部に化粧液を充填し、化粧液の流路を提供するために下端一部分に開放ホールが形成されているパッキング体が前記開口部に嵌挿される容器と、
前記容器の上部に回転自在に結合され、前記パッキング体の空間部に挿入されて化粧液の流路を提供するために、前記パッキング体の開放ホールに通るように対応する位置に開放部が切断形成された軸管が中央に形成され、前記軸管の上部にブラシが形成された中部キャップと、
前記中部キャップの上部に結合されて前記ブラシを保護する外部キャップと、を含むことを特徴とする化粧品容器。
【請求項８】
前記容器に対して前記中部キャップが所定の角度範囲で回転されるようにするために、前記中部キャップの下部面には、前記容器の凹部に一部挿入されて回転されるストッパーが形成され、前記容器の上部には、前記ストッパーの回転範囲を制限する回転制限壁が形成されることを特徴とする請求項７に記載の化粧品容器。
【請求項９】
前記中部キャップの回転時に、前記容器に結合されている前記パッキング体が回転されないようにするために、前記容器の中央穴にはキー溝が形成され、前記パッキング体の外周面には縦方向にキーが形成されることを特徴とする請求項７に記載の化粧品容器。
【手続補正２】
【補正対象書類名】明細書
【補正対象項目名】全文
【補正方法】変更
【補正の内容】
【発明の詳細な説明】
【技術分野】
【０００１】
本発明は、容器に収容された液状の化粧品を流出させて使用するための化粧品容器に関し、特に、化粧を実施しようとするとき、ブラシが形成されている蓋を回転させることにより化粧液の流出口を開放し、化粧液をブラシに流出させて適当量の化粧液が均一に塗布されるようにし、使用後、蓋を反対方向に回転させて前記流出口を閉鎖し、化粧液の流出を遮断する化粧品容器に関する。
【背景技術】
【０００２】
一般に、液体ファンデーション、リップグロスなどのように流動性を有する液体状態の化粧品が収容される化粧品容器は、容器の開口部にブラシ部が一体に形成されており、化粧を実施するためには前記容器を逆にしてブラシ部が下方に向かうようにしたり、または前記容器を収縮させて化粧液がブラシ部に供給されることにより、化粧を実施した。
【０００３】
上述した一般の化粧品容器は、ブラシ部に流出される化粧液を適切に制御したり、使用しないときはこれの供給を遮断させる開閉手段が備えられていなかった。よって、前記化粧品容器を保管する際、化粧液がブラシを通して流出されないように注意して保管する必要があるという不都合があった。
【０００４】
また、上述した一般の化粧品容器は、ブラシ部の中心に形成される流出管の内径によって化粧液の流出量が決められるため、ユーザが化粧液の流出量を調節することができない問題点があった。
【０００５】
上記の一般の化粧品容器の問題点を解決するために本願出願人によって既出願された化粧品容器は、下記特許文献１（韓国実用新案出願第２００４−００２４８９２号）（以下「従来技術」と称する）に掲載されている。
【０００６】
前記化粧品容器は、基本的に塗布部材と容器部から構成されており、前記容器部に形成される入口部の内部に固着されて化粧液の流出路を提供するパッキング体と、前記パッキング体の化粧液流出路を開閉する回転体と、前記パッキング体の上部を覆って前記入口部の外部と固着され前記回転体と凹凸結合されて、前記回転体の回転作動を制御する位置制御部材と、前記回転体の上部に固着され前記塗布部材が埋設される収納溝が形成される固定部材からなり、前記パッキング体には挿入溝が形成され、前記挿入溝の側面には開口部が穿孔されており、前記回転体には前記挿入溝に挿入される軸棒が形成されており、前記軸棒には前記挿入溝の開口部より小さい流出口が形成されている。
【０００７】
前記化粧品容器の構成を結合する方法は、化粧液が貯蔵された容器部の入口部の内部にはパッキング体を結合し、その外部には位置制御部材を固着し、前記位置制御部材の上部には固定部材と一体となった回転体を回転自在に結合することにより、化粧品容器の組立を実施する。
【０００８】
ここで、前記回転体の回転板下部に突出された軸棒は、前記位置制御部材の中央ホールを通して前記パッキング体の挿入溝に挿入され、前記回転板の上部に突出された軸棒は固定部材の支持ロッドを介して前記塗布部材の下部に位置されており、前記回転板の底面に形成されているストッパーは前記位置制御部材のガイド溝に挿入され、前記回転体を回転させれば、前記挿入溝に挿入されている軸奉と共に回転して前記挿入溝の開口部を開閉するため、化粧する時のみ、前記化粧液を引出するようになっている。
【０００９】
よって、上述した従来技術は、ブラシ部に流出される化粧液を適切に制御したり、使用しないときはこれの供給を遮断させる開閉手段を具備しているから、一般の化粧品容器の問題点を解決することができるという利点がある。
【００１０】
【特許文献１】韓国実用新案出願第２００４−００２４８９２号公報
【発明の開示】
【発明が解決しようとする課題】
【００１１】
ところで、上記の構成を有する従来の化粧品容器は、部品点数が多く構造が複雑してあり、また、容器部に化粧液を充填した後、前記容器部にパッキング体を挿入し、前記容器部の上部に回転体、位置制御部材及び固定部材が一体に結合された蓋部を結合する工程で化粧品が製造されることにより、製造工程が複雑であるといった問題があった。
【００１２】
本発明は、上述の問題点に解決するために案出されたもので、その目的は、ユーザがブラシ付き化粧品を使用するとき、ブラシに流出される液状の化粧品の流出量を調節して使用することができるようにするため、容器に結合される蓋部の中部キャップを回転させることにより開放ホールの開閉が行われるようにする開閉手段が備えられた化粧品容器を提供することにある。
【００１３】
さらに、化粧品容器をブラシ及び開閉手段が一体に形成された蓋部と容器に分離及び結合されるようにして、化粧品の製造工程時に容器に化粧液を充填した後、前記蓋部を結合する工程のみで、化粧品を簡便にかつ迅速に製造することができる化粧品容器を提供することにある。
【課題を解決するための手段】
【００１４】
上記目的を達成すべく、本発明による化粧品容器は、一側に開口部が形成され、前記開口部を通して収容部に化粧液を充填する容器と、前記容器の開口部と螺合され、化粧液の流路を提供するために下端一部分に開放ホールが形成されているパッキング体が中央の穴に嵌挿される下部キャップと、前記下部キャップの上部に回転自在に結合され、前記パッキング体の空間部に挿入されて化粧液の流路を提供するために前記パッキング体の開放ホールに通るように対応する位置に開放部が切断形成された軸管が中央に形成され、前記軸管の上部にブラシが形成された中部キャップと、前記中部キャップの上部に結合されて前記ブラシを保護する外部キャップと、を含むことを特徴とする。
【００１５】
ここで、前記化粧品容器は、前記中部キャップの軸管に形成されているブラシを集めるために、前記ブラシの上側に嵌合して中部キャップの上部に結合されるブラシカバーをさらに含むことを特徴とする。
【００１６】
また、前記下部キャップに対して前記中部キャップが所定の角度範囲で回転されるようにするため、前記中部キャップの下部面には、前記下部キャップの凹部に一部挿入されて回転されるストッパーが形成され、前記下部キャップの上部には、前記ストッパーの回転範囲を制限する２つの回転制限壁が形成されることを特徴とする。
また、前記下部キャップの上部に形成されている回転制限壁による角度範囲は１８０゜以下であることを特徴とする。
【００１７】
また、前記中部キャップの回転時に前記下部キャップに結合されている前記パッキング体が回転されないようにするために、前記下部キャップの中央穴にはキー溝が形成され、前記パッキング体の外周面には縦方向にキーが形成されることを特徴とする。
【００１８】
また、前記容器の開口部と螺合された前記下部キャップの結合状態が解除されないようにするために、前記容器の開口部の下部外周面と前記下部キャップの下部内周面にラッチギアがそれぞれ形成されることを特徴とする。
【発明の効果】
【００１９】
本発明によれば、化粧品容器は、ユーザがブラシ付き化粧品を使用するとき、ブラシに流出される液状の化粧品の流出量を調節して使用することができるようにするために、容器に結合される蓋部の中部キャップを回転させることにより開放ホールの開閉が行われるようにする開閉手段が備えられた化粧品容器を提供し、ブラシ及び開閉手段が一体に形成された蓋部と容器のように２つの構成に区分されるようにして、化粧品の製造工程時に前記容器に化粧液を充填した後、前記蓋部を結合する工程のみで、化粧品を簡便にかつ迅速に製造することができる化粧品容器を提供する。
【００２０】
ここで、前記開閉手段は、容器の開口部に結合される下部キャップと、前記下部キャップの中央に形成された穴に挿入されて開放ホールを通して流路を提供するパッキング体と、前記パッキング体に軸管の下端部が挿入されると共に前記下部キャップの上部に回転自在に結合され前記軸管の下端部に形成されている開放部を通して流路を提供する中部キャップから構成されている。
【００２１】
よって、前記開閉手段の中部キャップを１８０゜範囲に回転させて前記パッキング体の開放ホールと前記中部キャップの開放部を一致させて化粧液の流出口を開放したり、前記パッキング体の開放ホールと前記中部キャップの開放部を反対方向に向かうように回転操作して化粧液の流出口を閉鎖する方法で簡便に開閉作動を施すことができ、前記中部キャップを１８０゜以内に回転させれば流路の断面積が調節され化粧液の流出流量を調節することが可能であった。
【００２２】
また、前記下部キャップに結合されている前記パッキング体がキーによって相互結合されており、前記中部キャップの回転時に前記パッキング体が回転されず固定されて正確に前記中部キャップの回転操作で開閉作動を実施することができた。
【発明を実施するための最良の形態】
【００２３】
以下、本発明の好ましい実施例を、添付図面に基づき詳細に説明する。
図１は本発明による化粧品容器の分解斜視図、図２Ａは図１における下部キャップの底面斜視図、図２Ｂは図１における中部キャップの底面斜視図である。
【００２４】
図１〜図２Ｂに示すように、前記化粧品容器は、容器１、下部キャップ２、パッキング体３、中部キャップ４、ブラシ５、ブラシカバー６及び外部キャップ７から構成される。
【００２５】
前記下部キャップ２の中央に形成された穴には、前記パッキング体３が挿入されて一体に結合され、前記中部キャップ４の中央に上側に突設される軸管４０には、前記ブラシ５が挿入されて一体に結合され、前記ブラシ５が結合された後、前記中部キャップ４の上側にブラシカバー６が結合される。
【００２６】
また、前記パッキング体３が結合された下部キャップ２の上部には、前記ブラシカバー６とブラシ５が結合された中部キャップ４が回転自在に結合され、化粧液の流出量を調節する開閉手段をなす。
【００２７】
よって、図１に示す構成は、容器１、外部キャップ７及び複数の構成が相互結合されることにより組立体をなしている開閉手段のように、単純な構成に区分される。
【００２８】
以下、本発明による化粧品容器の各構成要素をさらに詳細に説明する。
前記容器１は、液状の化粧品を収容する手段であり、前記容器１の内部には化粧液が充填または収容される収容部１０が形成されており、前記容器１の上部には開口部１１が形成されている。
【００２９】
また、前記開口部１１の外周面には、前記下部キャップ２と螺合される雄ネジ部１２が形成されており、前記開口部１１の下部外周面には、ラッチギア１３が円周方向に突設されている。
【００３０】
ここで、前記ラッチギア１３は、前記下部キャップ２が螺合された時、前記下部キャップ２が反対方向に回転されることにより結合状態が解除されないようにする解除防止手段であり、前記開口部１１のラッチギア１３と対応するように前記下部キャップ２の下部内周面にもラッチギア２６が形成されている。
【００３１】
前記容器１は、合成樹脂で成形し、前記容器１を収縮させることにより化粧液が容易に流出されるようにするため、柔軟性の合成樹脂で成形することが好ましい。また、前記容器１は、収容部１０に充填または収容されている化粧液の状態を外部から視認できるように透明に形成することも可能である。
【００３２】
前記下部キャップ２は、前記容器１の開口部１１と螺合されることにより容器１を密閉させ、開閉手段の主要構成であるパッキング体３と中部キャップ４が固着する基部の役割を果たす。前記下部キャップ２の中央には、前記パッキング体３が嵌挿される穴が形成されており、前記穴には前記パッキング体３の外周面に縦方向に形成されたキー３２が挿入されるキー溝２７が形成されている。
【００３３】
前記下部キャップ２の上部には、前記中部キャップ４の下部が結合されるようにリーム部２０が形成されており、前記リーム部２０の外周面には、前記中部キャップ４の結合突起（図２Ｂの４５）が係止される結合溝２１が形成されている。
【００３４】
前記下部キャップ２の上部には中部キャップ４が回転自在に結合された時、前記中部キャップ４の下部面に形成されているストッパー（図２Ｂの４６）が一部挿入されて回転されるように、前記リーム部２０の内側に凹部２３が形成されており、前記中部キャップ４の回転範囲を制限するために、前記ストッパー４６が所定の角度で回転されてから回転が阻止されるように、前記リーム部２０の内周面には直径方向に対応する２つの回転制限壁２２が突設されている。
【００３５】
ここで、前記凹部２３の深さは、前記下部キャップ２の上部に前記中部キャップ４が結合された時、前記ストッパー４６の下端部が前記凹部２３の底面に接触されない程度の深さに形成することが好ましい。また、前記下部キャップ２のリーム部２０の内周面に形成されている前記２つの回転制限壁２２による回転角度範囲は１８０゜以下に形成し、前記中部キャップ４が前記下部キャップ２に対して０〜１８０゜の角度範囲に回転されることにより開閉手段を操作することが好ましい。
【００３６】
前記下部キャップ２の下部内周面には、図２Ａに示すように、前記容器１の雄ネジ部１２と螺合されるように雌ネジ部２５が形成されており、前記下部キャップ２の内周面上端には、前記容器１のラッチギア１３と対応するようにラッチギア２６が形成されており、前記下部キャップ２の内側下部面には、前記下部キャップ２が容器１と螺合された時、前記容器１の開口部１１の内周面と密着するように、ガイドリーム部２４が下方に突設されている。
【００３７】
前記パッキング体３は、前記下部キャップ２の中央に形成されている穴に嵌挿されることにより、前記容器１に収容されている化粧液の流路を提供する手段であり、中央に中部キャップ４の軸管４０が挿入される穴が形成されており、外周面には縦方向にキー３２が形成されており、下端一部分に開放ホール３１が形成されている。また、前記パッキング体３の上端部外周面には、前記下部キャップ２の中央に形成されている穴に前記パッキング体３が挿入された時、凹部２３上に安着されるように固着突起３３が形成されている。
【００３８】
ここで、前記パッキング体３の開放ホール３１は、前記中部キャップ４が１８０゜回転された時、流路が最大に確保できるように１８０゜範囲に形成されることが好ましい。
前記中部キャップ４は、前記パッキング体３が結合された前記下部キャップ２の上部に回転自在に結合され、前記中部キャップ４を回転させることにより前記中部キャップ４の軸管４０の下端部に形成されている開放部４２と前記パッキング体３の開放ホール３１を一致または外れるようにして、化粧液の流路を開閉したり、流路の大きさを調節する手段である。
【００３９】
よって、前記中部キャップ４の中央には、前記中部キャップ４の上部及び下部を貫通する軸管４０が垂直に形成されており、前記軸管４０の中央には、化粧液が流出される流出口４１が形成されている。また、前記軸管４０の上部は、ブラシ５が容易に挿入できるよう、上端部側に行くほど外径が減少するようにテーパ加工されており、前記軸管４０の下部は前記パッキング体３の空間部３０に密着挿入されるように、前記空間部３０の内径と前記軸管４０の下部外径が同一に形成されている。前記軸管４０の下端部外周面には、図２Ｂに示すように、前記パッキング体３の空間部３０に挿入され前記パッキング体３の開放ホール３１に通るように対応する位置に、開放部４２が切断形成されており、前記開放部４２の切断範囲は前記パッキング体３の開放ホール３１の範囲と同一に１８０゜範囲に形成されることが好ましい。
【００４０】
前記中部キャップ４の外周面には、手で把持して容易に回転させるための摩擦面が形成されており、前記中部キャップ４の軸管４０周囲の上部面には、環状のリーム部４３が突設されており、前記リーム部４３の外周面には、前記ブラシカバー６の内側面に形成されている結合突起（図３Ａの６２）が係止されるように、結合溝４４が形成されている。よって、前記中部キャップ４の上部面は、前記リーム部４３を境界にして外側上部面と、前記ブラシ５のプランジ５１が安着する内側上部面に区分される。
【００４１】
前記中部キャップ４の中央に形成されている軸管４０の上部には、前記ブラシ５が嵌合されて一体に結合または取付される。
【００４２】
ここで、前記ブラシ５を前記軸管４０に取付ける方法は、前記中部キャップ４のリーム部４３の内周面に固定突起４７を形成し前記ブラシ５が前記軸管４０に嵌合された時、前記ブラシ５のプランジ５１の上端部が前記固定突起４７に係止されることにより、前記ブラシ５を固着する。前記固定突起４７によって固定された前記ブラシ５の固定力を向上させるために、前記ブラシ５の下端部または内側空間部５０に接着剤を塗布し、これを前記中部キャップ４の内側上部面に取付けることも可能である。
【００４３】
また、前記ブラシ５を前記軸管４０に結合する他の方法は、前記ブラシ５の下端部または内側空間部５０に接着剤を塗布して前記軸管４０及び中部キャップ４の内側上部面に取付けたり、または前記ブラシ５の下端部と前記中部キャップ４の内側上部面を熱融着させることにより相互取付ける。
【００４４】
また、前記中部キャップ４が前記下部キャップ２に結合されて前記中部キャップ４が所定の角度範囲、すなわち、１８０゜に回転されるようにするために、前記中部キャップ４の下部面には、図２Ｂに示すように、前記下部キャップ２の上部面に形成されている凹部２３に一部挿入されて回転されるストッパー４６が形成されている。また、前記ストッパー４６の形成方向は、前記中部キャップ４の開放部４２の前方と直角をなすように形成し、前記ストッパー４６が１８０゜回転された時、前記中部キャップ４の開放部４２が前方または後方に向かうようにし、前記パッキング体３の開放ホール３１と前記中部キャップ４の開放部４２による流路が開閉されるようにする。
【００４５】
前記ブラシ５は、前記中部キャップ４に形成されている軸管４０の流出口４１を通して流出される化粧液を吸収することにより化粧を実施する手段であり、多発毛、フロック（floc）などを適切な形態に成形して製作する。前記ブラシ５の上端部は、通常のブラシ５の形態のように尖設されており、下端部は、前記中部キャップ４の内側上部面に安着するようにプランジ５１が形成されており、下部面を通して軸管４０が挿入されるように内部に空間部５０が形成されている。
【００４６】
前記ブラシカバー６は、前記ブラシ５の上側に嵌設して前記中部キャップ４の上部に結合されて前記ブラシ５の上部を集める手段であり、前記ブラシカバー６の下部は、前記中部キャップ４のリーム部４３の外側に結合されるための内径をなしており、前記ブラシカバー６の上部は、前記ブラシ５の上部を集める穴６０が形成されており、上部へ行くほど小さな口径を有するように円錐状に形成されている。
【００４７】
前記ブラシカバー６の内周面下部には、前記中部キャップ４の結合溝４４に係止する結合突起（図３Ａの６２）が円周方向に突設されており、前記ブラシカバー６の外周面下部には前記外部キャップ７が固着されるように、外側突起６１が円周方向に突設されている。
前記外部キャップ７は、化粧を実施しない時、前記ブラシ５を保護するために前記ブラシカバー６に結合される蓋であり、下部が開放された円筒状に形成されている。
【００４８】
前記外部キャップ７の内周面下部には、前記ブラシカバー６と結合された時、前記ブラシカバー６の外側突起６１に係止されるように、係止突起（図３Ａの７０）が円周方向に突設されている。
【００４９】
図３Ａは、本発明による化粧品容器の中部キャップを回転させることにより流出口が開放された状態の結合断面図、図３Ｂは、図３ＡのＡ−Ａ線の断面図である。
図３Ａに示す化粧品容器は、下部キャップ２、パッキング体３、中部キャップ４、ブラシ５、ブラシカバー６及び外部キャップ７が結合された蓋部と容器１に区分され、最終的に前記容器１に化粧液を充填した後、前記蓋部を結合することにより、化粧品製造工程を終了する。
【００５０】
以下、図３Ａを参照して前記蓋部が組立てられる過程を説明し、図３Ａ及び図３Ｂを参照して流出口４１が開放されるように前記中部キャップ４を操作する方法を説明する。
【００５１】
まず前記下部キャップ２の中央に形成されている穴に前記パッキング体３を嵌挿し、このとき、前記パッキング体３のキー３２が前記下部キャップ２の穴に形成されているキー溝２７に嵌設することにより、前記中部キャップ４の回転時に前記パッキング体３が回転されないようにする。
【００５２】
前記下部キャップ２にパッキング体３が結合されれば、前記下部キャップ２の上部に前記中部キャップ４を結合し、このとき、前記中部キャップ４の下部面に形成されているストッパー４６が前記下部キャップ２の上部面に形成されている凹部２３に一部挿入されるようにし、前記中部キャップ４の軸管４０の下端部が前記パッキング体３の空間部３０に密着するように挿入する。
【００５３】
前記下部キャップ２と前記中部キャップ４が結合されれば、前記下部キャップ２のリーム部２０の外周面に形成されている結合溝２１に前記中部キャップ４の下部内周面に形成されている結合突起４５が係止されることにより相互結合が行われ、前記中部キャップ４を回転させる場合、前記結合溝２１に前記結合突起４５が係止された状態で前記結合溝２１に沿って回転されるため、結果的に前記結合溝２１が前記中部キャップ４の回転のためのガイド溝の役割を果たす。
【００５４】
前記下部キャップ２、パッキング体３及び中部キャップ４の結合が完了すれば、前記中部キャップ４の軸管４０に前記ブラシ５を嵌合し、この後、前記ブラシ５の下端部が、前記中部キャップ４の軸管４０とリーム部４３との間に形成される内側上部面に取付けられるようにする。
【００５５】
この後、前記ブラシ５の上側に前記ブラシカバー６を嵌設することにより、前記ブラシ５の上部が集められるようにし、前記ブラシカバー６と前記中部キャップ４が結合されれば、前記ブラシカバー６の内周面下部に形成されている結合突起６２が前記中部キャップ４のリーム部４３の外周面に形成されている結合溝４４に係止されることにより結合が行われる。
【００５６】
前記ブラシカバー６の結合が完了すれば、前記外部キャップ７を前記ブラシカバー６の上部に結合し、このとき、前記外部キャップ７の内周面下部に形成されている係止突起７０が前記ブラシカバー６の外側突起６１に係止されて結合が行われる。
【００５７】
上述した組立順によれば、前記パッキング体３が結合された下部キャップ２に中部キャップ４を結合し、前記中部キャップ４の軸管４０に前記ブラシ５を取付ける組立順が記載されているが、これに限られず、前記中部キャップ４の軸管４０に前記ブラシ５を取付けた後、前記中部キャップ４を前記パッキング体３が結合された下部キャップ２に結合する方法に組立順を変更して実施することも可能である。
【００５８】
上述した順に前記蓋部の組立が完了すれば、前記容器１の収容部１０に化粧液を充填し、この後、前記蓋部を前記容器１に結合することにより化粧品の製造を完了し、このとき、前記容器１の開口部１１と螺合される前記蓋部、すなわち、下部キャップ２が完全に結合されれば、前記下部キャップ２の内周面下部に形成されているラッチギア２６と前記容器１の開口部１１の下部に形成されているラッチギア１３が互いに係止して逆方向に回転されなくなる。
【００５９】
図３Ａのように本発明による化粧品容器の組立が完了すれば、ユーザは前記外部キャップ７を取り外した後、前記中部キャップ４を把持し、これを図３Ｂのように回転させることにより、前記中部キャップ４の軸管４０の下端部に形成されている開放部４２と前記パッキング体３の開放ホール３１が一致すれば、流路が確保され流出口４１が開放される。
【００６０】
よって、ユーザが前記容器１を収縮させたり、または容器１を上側に向かうように逆にすれば、前記流出口４１を通して化粧液が流出されることにより化粧を実施することができるようになる。
【００６１】
ここで、前記中部キャップ４の回転時に、前記中部キャップ４のストッパー４６は、前記下部キャップ２の凹部２３に一部挿入された状態で、時計方向に１８０゜だけ回転してから、前記下部キャップ２の回転制限壁２２に当接すると、回転が阻止される。このとき、前記中部キャップ４の開放部４２と前記パッキング体３の開放ホール３１が一致し流路が確保される。
【００６２】
図４Ａは、本発明による化粧品容器の中部キャップを回転させることにより流出口が閉鎖された状態の結合断面図であり、図４Ｂは、図４ＡにおけるＢ−Ｂ線の断面図である。
図４Ａ及び図４Ｂを参照して流出口４１が閉鎖されるように前記中部キャップ４を操作する方法を説明する。
【００６３】
図３Ａに示すように、前記中部キャップ４を操作して化粧品の使用を終了すると、ユーザは前記中部キャップ４を把持し、これを図４Ｂに示すように回転させることにより、前記中部キャップ４の軸管４０の下端部に形成されている開放部４２と前記パッキング体３の開放ホール３１が反対方向に向かうように操作すれば、流路が遮断され流出口４１が閉鎖し、この後、前記外部キャップ７を結合すれば、図４Ａに示すように化粧品を保管することができる状態になる。
【００６４】
ここで、前記中部キャップ４の回転時に、前記中部キャップ４のストッパー４６は、前記下部キャップ２の凹部２３に一部挿入された状態で反時計方向に１８０゜だけ回転されてから、前記下部キャップ２の回転制限壁２２に当接すれば、回転が阻止される。このとき、前記中部キャップ４の開放部４２と前記パッキング体３の開放ホール３１が反対方向に向かうようになり、流路が遮断される。
【００６５】
図５は、本発明による化粧品容器の容器と蓋部が分離された状態の斜視図であり、前記容器１の収容部１０に化粧液を充填するために分離された状態が示されている。
【００６６】
本発明による化粧品容器は、化粧液を容器１に充填し、これを蓋部で結合することにより化粧品の製造を完了することと同様に、簡便にかつ迅速に化粧品を製造することができるように創案したもので、図３Ａの説明部分に記述された方法で、下部キャップ２、パッキング体３、中部キャップ４、ブラシ５、ブラシカバー６及び外部キャップ７が結合されてなる蓋部が組立てられ、容器１が具備されれば前記容器１に化粧液を充填し、前記蓋部を前記容器１の開口部１１と螺合することにより組立を施し、このとき、前記蓋部を最後まで回転させると、前記下部キャップ２の下部内周面と前記容器１の開口部１１の下部外周面にそれぞれ形成されているラッチギア１３、２６が互いに噛合されることにより前記下部キャップ２が逆方向に回転されて解除されないようになり、前記蓋部と前記容器１の結合状態が堅く保持される。
【００６７】
一方、以上における本発明に対する説明は、容器１と下部キャップ２が互いに別個の部材からなる構成についてのみ記載されているが、容器１と下部キャップ２が一体に成形される１つの部材からなる構成に対しても本発明の技術的思想が同様に適用され得ることは当然であろう。
【図面の簡単な説明】
【００６８】
【図１】本発明による化粧品容器の分解斜視図である。
【図２Ａ】図１における下部キャップの底面斜視図である。
【図２Ｂ】図１における中部キャップの底面斜視図である。
【図３Ａ】本発明による化粧品容器の中部キャップを回転させることにより流出口が開放された状態の結合断面図である。
【図３Ｂ】図３ＡのＡ−Ａ線の断面図である。
【図４Ａ】本発明による化粧品容器の中部キャップを回転させることにより流出口が閉鎖された状態の結合断面図である。
【図４Ｂ】図４ＡのＢ−Ｂ線の断面図である。
【図５】本発明による化粧品容器の容器と蓋部が分離されている状態の斜視図である。
【符号の説明】
【００６９】
１    容器
２    下部キャップ
３    パッキング体
４    中部キャップ
５    ブラシ
６    ブラシカバー
７    外部キャップ
１０    収容部
１１    開口部
１２    雄ネジ部
１３，２６    ラッチギア
２０，４３    リーム部
２１，４４     結合溝
２２    回転制限壁
２３    凹部
２４    ガイドリーム部
２５    雌ネジ部
２７    キー溝
３０，５０    空間部
３１    開放ホール
３２    キー
３３    固着突起
４０    軸管
４１    流出口
４２    開放ホール
４５，６２    結合突起
４６    ストッパー
４７    固定突起
５１    プランジ
６０    穴
６１    外側突起
７０    係止突起
【国際調査報告】
2008507388.tif 000011
2008507388.tif 000012